(57)【特許請求の範囲】
【請求項１】
パネル状の断熱材、及び該断熱材の表面に貼着され前記断熱材の表面積よりも大きく形成されるとともに前記断熱材の縁部から延出された延出部を有し、柔軟性のある折畳み可能な材質より形成されるメッシュ材が備えられた建築用部材を、下地用構造用合板の表面に複数枚敷き詰める工程と、
敷き詰められた前記建築用部材を、前記下地用構造用合板に対して固定する工程と、
固定された前記建築用部材のうち隣接する建築用部材の前記延出部同士を重ね合わせ、前記隣接する建築用部材のいずれか一方の表面にメッシュ材を３重構造となるように折畳む工程と、
折畳まれた前記メッシュ材及び前記建築用部材の表面に、樹脂及びセメントの混合物を平坦に塗布する工程と
を備えることを特徴とする外断熱工法。
【発明の詳細な説明】
【技術分野】
【０００１】
本発明は、住宅やビルディングなどの建築物の外装に適用される外断熱工法に関するものである。
【背景技術】
【０００２】
住宅やビルディングなどの建築物の断熱方法として、内断熱と外断熱の２種類の方法が一般的に知られている。日本では、古くより内断熱が広く採用されてきたが、内断熱とは、グラスウール等の断熱材を柱と柱の間に設ける方法であり、この方法においては、気密性が低いため、壁内結露を引き起こし、これがカビやシロアリなどの発生原因となっている。また、近年の環境保護、省エネルギー化への関心の高まりに伴い、室内の熱を外に逃がさないようにして暖房器具によるエネルギーの消費量を低減し、高いレベルでの断熱、気密性能が求められるようになっている。そこで、内断熱の方法だけではなく、住宅の躯体の外側を断熱材によってすっぽりと覆う外断熱の方法も用いられる。
【０００３】
従来の外断熱にて用いられる建築用部材を図７、図８に示す。建築用部材１００は、断熱材１０１、壁面の表面を塗装する際の下地層であるセメント層１０２、及び外壁の補強材であるメッシュ材１０３で構成される。まず、工場にて、断熱材１０１の表面にセメント層１０２などを接着層にしてメッシュ材１０３が貼着される。セメント層１０２は、メッシュ材１０３の網目に細かく入り込み、乾燥した後は、メッシュ材１０２はセメント層１０２に埋没する。外断熱は、こうして形成された建築用部材１００が、施工現場において、住宅やビルディングなどの建築物の外側にマトリクス状に隙間無く敷き詰められることで実現される。そして、セメント層１０２の表面に、塗料が塗装されることで外壁が完成する。
【０００４】
以上の従来技術は、当業者において当然として行われているものであり、出願人は、この従来技術が記載された文献を知見していない。
【発明の開示】
【発明が解決しようとする課題】
【０００５】
ところで、上記の建築用部材１００を用いて外断熱を行う場合には、隣接する建築用部材１００の継ぎ目に、ジョイント処理と呼ばれる処理工程が必要となっていた。すなわち、隣接する建築用部材１００の継ぎ目に段差や隙間が生じることにより、表面の塗装がひび割れたり剥落する恐れがあるため、セメント層１０２の表面を塗装する作業の前に、建築用部材１００の継ぎ目に、継ぎ足し用メッシュ材１０４を継ぎ足し、この継ぎ足し部１０５にセメント層１０２を上塗りする処理（ジョイント処理）が必要となっていた。従って、工場にて断熱材１０１の表面にセメント層１０２を塗布する作業に加えて、施工現場でもジョイント処理のためにセメント層１０２を塗布する作業が行われ、全体としての作業効率を著しく下げる結果を招いていた。
【０００６】
また、継ぎ足し用のメッシュ材１０４を片手で保持し、もう一方の手でセメント層１０２を均一かつ平滑に塗布するためには作業者の熟練度が必要とされ、これも作業効率を下げる一因となっていた。さらに、建築用部材１００を構成するメッシュ材１０３とは別に、継ぎ足し用メッシュ材１０４を用意する必要があるため、部材の管理が煩雑化し、工期を増大させ、より作業者の負担を増加させる要因となっていた。加えて、メッシュ材１０３と継ぎ足し用のメッシュ材１０４とは別体にて構成されるため、建築物の躯体の変化や外壁に加わる振動、衝撃によって、継ぎ目から剥がれ落ちる恐れもあった。
【０００７】
そこで、本発明は、上記の実状に鑑み、ジョイント処理に係る工期を短縮し、作業者の負担を軽減する外断熱工法を提供することを課題とする。
【課題を解決するための手段】
【００１４】
本発明に係る外断熱工法は、「パネル状の断熱材、及び該断熱材の表面に貼着され前記断熱材の表面積よりも大きく形成されるとともに前記断熱材の縁部から延出された延出部を有し、柔軟性のある折畳み可能な材質より形成されるメッシュ材が備えられた建築用部材を、下地用構造用合板の表面に複数枚敷き詰める工程と、敷き詰められた前記建築用部材を、前記下地用構造用合板に対して固定する工程と、固定された前記建築用部材のうち隣接する建築用部材の前記延出部同士を重ね合わせ、前記隣接する建築用部材のいずれか一方の表面にメッシュ材を３重構造となるように折畳む工程と、折畳まれた前記メッシュ材及び前記建築用部材の表面に、樹脂及びセメントの混合物を平坦に塗布する工程とを備えることを特徴とする」ものである。
【００１５】
本発明の外断熱工法によれば、隣接する建築用部材の延出部同士を重ね合わせ、いずれか一方の表面に折畳む（折畳む工程）ことによって、建築用部材の継ぎ目部の表面において、メッシュ材が、断熱材の表面に貼着されたメッシュ材、折り畳まれた一方の延出部のメッシュ材、及び隣接する他方の延出部のメッシュ材の３重構造となる。また、継ぎ足し用のメッシュ材を用いることなく、断熱材の表面に貼着されたメッシュ材と延出部とは一体で形成されるため、剥がれ落ちる恐れがなく、より強固に断熱材の継ぎ目を接合できる。さらに、建築用部材の継ぎ目部に継ぎ足し用のメッシュ材を使用し、これを樹脂及びセメントの混合物で塗り込むというジョイント処理を行う必要がなく、工場で建築用部材を作製してから現場で外壁が形成されるまでの、全体としての作業工程を短縮し、より効率的な施工が可能となる。
【発明の効果】
【００１６】
このように、本発明の建築用部材によれば、工場で建築用部材を作製してから現場で外壁が形成されるまでの、全体としての作業工程を短縮し、より効率的な施工が可能となる。また、ジョイント処理に係る作業内容を単純化し、より簡単に施工することができるため、さらに作業効率を向上させることができる。さらに、継ぎ足し用のメッシュ材を使用しないことにより、部材の管理を簡略化し、作業者の負担を軽減することが可能となる。また、断熱材の表面に貼着されたメッシュ材と延出部とは一体で形成されるため、剥がれ落ちる恐れがなく、より強固に断熱材の継ぎ目を接合できる。
【発明を実施するための最良の形態】
【００１７】
以下、本発明の一実施形態である建築用部材について、図１乃至図５に基づき説明する。図１は本実施形態の建築用部材を用いた外壁の斜視図であり、図２は断面図である。図３は建築用部材を示す斜視図である。図４は建築用部材の使用状態を示す説明図であり、図５は図４のＢ―Ｂ´における断面図である。
【００１８】
以下、本発明の構成について簡単に説明する。図１及び図２に示すように、外壁１の外断熱は、下地用構造用合板２と、下地用構造用合板２の表面にマトリクス状に隙間無く敷き詰められた建築用部材３と、建築用部材３の表面に一様に塗り固められた樹脂及びセメントの混合物４と、混合物４の表面に塗装された塗料５とで形成される。
【００１９】
図３に示すように、建築用部材３は、断熱材６と、断熱材６の表面に貼着され断熱材６の縁部から舌片状に延出した延出部８を備えるメッシュ材７とから構成されている。特に、本例の断熱材６はビーズ法ポリスチレンフォーム保温板４号などの、通気性と可撓性を有する部材が用いられている。ビーズ法ポリスチレンフォーム４号とは、ポリスチレン樹脂と炭化水素系泡剤からなる原料ビーズを予備発泡させた後に、金型に充填し加熱することによって約３０倍から８０倍に発泡させてつくられるもので、密度は１５以上２０ｋｇ／ｍ３未満、透水係数は２５０以上２９０ｎｇ／（ｍ２／ｓ／Ｐａ）未満などの特徴を持つ。大きさは、おおよそ縦１ｍ、横２ｍ、厚み２５ｍｍなどのものが例示される。断熱材６の厚みはこれに限定されるものではないが、好ましくは２０ｍｍから１００ｍｍである。
【００２０】
ここで、メッシュ材７とは、とくに限定されるものではないが、例えば合成繊維系の柔軟性のある織布で、網目サイズが略４ｍｍ角の正方形網目のものが挙げられる。メッシュ材７を用いることで、外壁１の振動や衝撃に対する強度を増加させ、また、湾曲した外壁１に適用される場合においての、表面の塗料５のひび割れ、剥落防止の効果も有する。
【００２１】
次に、本例の建築用部材３の使用方法について説明する。まず、図１に示すように、住宅やビルディングなどの建築物の外壁１に張り巡らされた下地用構造用合板２の表面に、建築用部材３をマトリクス状に敷き詰める。建築用部材３は、基礎の上端を基準にして下から上に積み上げるように敷き詰められ、下地用構造用合板２にビス留めされ固定される。
【００２２】
次に、隣接する建築用部材３の延出部８同士を重ね合わせ、この重ね合わされたメッシュ材７の延出部８をいずれか一方の建築用部材３の表面に折り畳む（図４参照）。図５に示すように、隣接する建築用部材３の継ぎ目部９においては、メッシュ材７は、断熱材６の表面に貼着されたメッシュ材７、折り畳まれた延出部８ａ、及び隣接する建築用部材３の延出部８ｂの３重構造となる。
【００２３】
次に、混合物４を、建築用部材３の表面に一様に塗布する。これにより、メッシュ材７の網目に混合物４が細かく入り込み、隣接する建築用部材３の継ぎ目に生じた段差や隙間を埋め、建築用部材６の表面を平滑にし、塗料５による塗装の下地層を形成する。混合物４とは、例えばセメントと樹脂を１：１の割合で配合されたものであり、入念に攪拌することにより作製される。混合物４に含まれる樹脂としては、特に限定されるものではないが、例えば柔軟性と透湿性を兼ね備える水性アクリル系樹脂などを用いることができる。そして、混合物４が塗布された表面に、塗料５を一様に塗装することで、外壁１の外断熱が完成する。
【００２４】
このように、本実施の形態によると、従来の工法、すなわち建築用部材３の継ぎ目部に継ぎ足し用のメッシュ材を使用し、これをセメント層で塗り込むというジョイント処理を行う必要がなく、工場で建築用部材３を作製してから現場で外壁１が形成されるまでの、全体としての作業工程を短縮し、より効率的な施工が可能となる。また、ジョイント処理に係る作業内容を単純化し、より簡単に施工することができるため、さらに作業効率を向上させることができる。加えて、継ぎ足し用のメッシュ材を使用しないことにより、部材の管理を簡略化し、作業者の負担を軽減することが可能となる。また、断熱材６の表面に貼着されたメッシュ材７と延出部８とは一体で形成されるため、剥がれ落ちる恐れがなく、より強固に断熱材６の継ぎ目を接合できる。さらに、可撓性のある断熱材６、柔軟性のある樹脂を混合させた混合物４、及び補強材であるメッシュ材７を組み合わせることにより、例えば湾曲した形状の外壁１に沿って折り曲げて使用することがあっても、塗装のひび割れや剥落を起こさず施工できる。
【００２５】
また、上記の建築用部材３及び外断熱工法によれば、延出部８の形状が舌片状に設けられることにより、マトリクス状に敷き詰められた建築用部材３の頂点部分において、隣接する建築用部材３夫々の延出部８が重なり合うことが無く、メッシュ材７の過剰な多重構造を回避することができる。これにより、メッシュ材７の過剰な多重構造に起因する、混合物４及び塗料５の平坦化作業（段差なく均一に塗布する作業）を回避することができ、よりジョイント処理に係る工期を短縮することが可能となり、施工作業の効率化を図ることができる。
【００２６】
また、上記の建築用部材３及び外断熱工法によれば、断熱材６は通気性を有するポリスチレンフォームからなる構成のため、断熱材６の内側に構成される下地用構造用合板２に湿気が溜まらず、壁内結露を低減することが可能となる。これにより、下地用構造用合板２の腐食によるカビやシロアリの発生を低減することが可能となる。さらに、従来の建築用部材１００を使用した場合、外壁１のコーナー部においては、断熱材１０１の厚みの分だけメッシュ材１０３の空白部が生じることとなるが、上記の建築用部材３によれば、延出部８を重ね合わせることでこの空白部を埋め合わせることができ、簡便な構成でより堅牢な外壁１を構成することができる。
【００２７】
以上、本発明を実施するための最良の実施の形態を挙げて説明したが、本発明はこの実施の形態に限定されるものではなく、以下に示すように本発明の趣旨を逸脱しない範囲において、種々の改良および設計の変更が可能である。
【００２８】
すなわち、図１に示すように、外壁１の外断熱は、下地用構造用合板２の表面に建築用部材３がマトリクス状に隙間なく敷き詰められ、敷き詰められた建築用部材３は、夫々の左右端部側が上下方向で揃い、縦方向の継ぎ目（縦目地）が通った構成となっているが、これに限定されるものではなく、上下方向で継ぎ目をずらし、縦目地を通さない構成としても良い。これによれば、住宅やビルディングなどの建築物の躯体の変化による目地割れの発生を軽減できるため、より外壁１の強度を増すことができる。
【００２９】
また、上記の実施の形態では、メッシュ材７は、断熱材６の縁部から舌片状に延出した延出部８を備える構成としたが、これに限定されるものではなく、図６に示すように、断熱材６の表面積よりも大きく、断熱材６の縁部から一様に延出された延出部１０を備える構成としても良い。これによれば、メッシュ材７を裁断し、舌片状の延出部８を作製する必要がなく、簡便な構成にて建築用部材３を構成することができる。
【００３０】
また、上記の実施の形態では、メッシュ材７は、断熱材６の表面のみに貼着させる構成としたが、表面と裏面の両方に貼り付ける構成としてもよい。これによれば、さらに外壁１の強度を増すことができる。
【００３１】
上記の実施の形態では、断熱材６は表面の形状が長方形であるものを示したが、これに限定されるものではなく、表面の形状は三角形や五角形など任意の多角形でもよい。ただし、表面の形状が円形である場合は、マトリクス状に隙間無く敷き詰めることが困難となるため、直線状の辺を持つ多角形であることが好ましい。
【図面の簡単な説明】
【００３２】
【図１】本発明の外断熱工法による外壁の斜視図である。
【図２】図１の外断熱工法による外壁の断面図である。
【図３】建築用部材を示す斜視図である。
【図４】建築用部材の使用状態を示す斜視図である。
【図５】図４のＢ―Ｂ´における断面図である。
【図６】別の実施形態を示す斜視図である。
【図７】従来例の建築用部材を示す斜視図である。
【図８】従来例の建築用部材を用いた場合のジョイント処理を示す斜視図である。
【符号の説明】
【００３３】
３  建築用部材
４  混合物
６  断熱材
７  メッシュ材
８  延出部
【要約】
【課題】断熱材の目地を継ぐジョイント処理に係る工期を短縮し、作業者の負担を軽減し、簡便な構成にて建築用部材を実現することを課題とする。
【解決手段】パネル状の断熱材６と断熱材６の表面に貼着されたメッシュ材７とを有し、メッシュ材７は、断熱材６の表面積よりも大きく、断熱材の縁部から延出された延出部８を備える。隣接する建築用部材３の延出部８同士を重ね合わせ、この重ね合わされたメッシュ材７をどちらか一方の建築用部材３の表面に折り畳み、表面に樹脂及びセメントの混合物を塗布することで、継ぎ足し用のメッシュ材を使わずに隣接する断熱材６同士を接合させる。
【選択図】    図３
【図１】
0003710808.tif 000002
【図２】
0003710808.tif 000003
【図３】
0003710808.tif 000004
【図４】
0003710808.tif 000005
【図５】
0003710808.tif 000006
【図６】
0003710808.tif 000007
【図７】
0003710808.tif 000008
【図８】
0003710808.tif 000009